(57)【特許請求の範囲】
【請求項１】
プルタブ式またはステイオンタブ式のプルトップ、
またはフルオープン缶の缶蓋を開封するための開封器具であって、
手のひらまたは手の甲を載置するための板状の本体部材と、
前記板状の本体部材の上面部に固定した、手のひらまたは手の甲を前記板状の本体部材に固定するためのベルト部材と、
前記板状の本体部材の下面部に固定した係止部材とを備えることを特徴とする開封器具。
【請求項２】
前記係止部材の係止部が、
側面視において略Ｌ字形状または側面視において先端部に向かうにつれて下方に傾斜している形状であることを特徴とする請求項１に記載の開封器具。
【請求項３】
前記係止部材の係止部が、
先端部に突出部を備えていることを特徴とする請求項１または請求項２に記載の開封器具。
【請求項４】
前記本体部材に、
手首または／および腕を保護するための保護部材が設けられていることを特徴とする請求項１から請求項３のいずれか一項に記載の開封器具。
【請求項５】
前記ベルト部材は、
長さ調節機構または／および着脱機構を備えていることを特徴とする請求項１から請求項４のいずれか一項に記載の開封器具。
【発明の詳細な説明】
【技術分野】
【０００１】
本発明は、プルタブ式またはステイオンタブ式のプルトップ、またはフルオープン缶の缶蓋を開封するための開封器具に係り、さらに詳しくは手や指の不自由な方や高齢者、あるいは爪を伸ばしている女性などが容易かつ安全にプルトップ等を開封することができる開封器具に関するものである。
【背景技術】
【０００２】
プルタブ式またはステイオンタブ式のプルトップやフルオープン缶の缶蓋は、プルトップ等のリング部を指の先などを使って持ち上げた後、リング部に指を挿入して引き上げたり、あるいはリング部を元に戻すように倒したりすることによって開封する。
しかしながら、このようなプルトップ等のリング部は、蓋部との隙間が狭いことやリング部に指を挿入しなければならないことから、手や指の不自由な方や高齢者あるいは爪を伸ばしている女性などにとっては、かかるリング部を持ち上げて、さらにリング部を引き上げることは困難なものとなっている。
そこで、このような問題点を解決することを目的として、特許文献１〜３に記載の各種の開封器具が提案されている。
【先行技術文献】
【特許文献】
【０００３】
【特許文献１】特許第４６５７３７３号公報
【特許文献２】登録実用新案第３０８１０１１号公報
【特許文献３】登録実用新案第３１２９８３１号公報
【発明の概要】
【発明が解決しようとする課題】
【０００４】
しかしながら、特許文献１〜３に記載の開封器具はいずれもレバー形状のものであることから、使用においてはかかるレバーを握り、さらに握ったままの状態で腕を使わなければならないことになる。すなわち、特許文献１〜３に記載の開封器具は使用時において相当の握力と、握力を使った状態での腕力を必要とすることから、指を曲げることができない障害者の方や握力や腕力の乏しい高齢者または女性などにとっては依然として使用しづらいものであった。
【０００５】
本発明は、上記した従来の問題点に鑑みてなされたものであって、プルタブ式またはステイオンタブ式のプルトップ、またはフルオープン缶の缶蓋を開封するための開封器具に係り、さらに詳しくは手や指の不自由な方や高齢者、あるいは爪を伸ばしている女性などが容易かつ安全にプルトップ等を開封することができる開封器具の提供を目的とするものである。
【課題を解決するための手段】
【０００６】
上記目的を達成するために、本発明の請求項１に係る開封器具は、プルタブ式またはステイオンタブ式のプルトップ、またはフルオープン缶の缶蓋を開封するための開封器具であって、手のひらまたは手の甲を載置するための板状の本体部材と、板状の本体部材の上面部に固定した、手のひらまたは手の甲を前記板状の本体部材に固定するためのベルト部材と、板状の本体部材の下面部に固定した係止部材とを備えることを特徴とする。
【０００８】
本発明の請求項２に係る開封器具は、係止部材の係止部が、側面視において略Ｌ字形状または側面視において先端部に向かうにつれて下方に傾斜している形状であることを特徴とする。
【０００９】
本発明の請求項３に係る開封器具は、係止部材の係止部が、先端部に突出部を備えていることを特徴とする。
【００１０】
本発明の請求項４に係る開封器具は、本体部材に、手首または／および腕を保護するための保護部材が設けられていることを特徴とする。
【００１１】
本発明の請求項５に係る開封器具は、ベルト部材は、長さ調節機構または／および着脱機構を備えていることを特徴とする。
【発明の効果】
【００１２】
本発明の請求項１に係る開封器具によれば、レバーなどを握るという動作をすることなくプルトップ等を持ち上げることができることから、指を曲げることができない障害者の方や、握力や腕力の乏しい高齢者または女性なども容易かつ安全にプルトップ等を開封することができる。また、手全体や腕全体を使ってプルトップ等を持ち上げることができることから、より効果的にプルトップ等を開封することができる。
【００１４】
本発明の請求項２に係る開封器具によればプルトップ等のリング部を効果的に持ち上げたり引き上げることができる。さらに、開封後のプルタブや缶蓋は係止部に係止した状態になることから、開封後のプルタブや缶蓋に触れることなく、そのままゴミ箱等に廃棄することができる。
【００１５】
本発明の請求項３に係る開封器具によればプルトップ等のリング部をより容易に持ち上げたり引き上げることができる。
【００１６】
本発明の請求項４に係る開封器具によれば開封後のプルタブや缶蓋で手首や腕を切ることを防止することができる。
【００１７】
本発明の請求項５に係る開封器具によれば使用者が異なる場合においても、手と本体部材とを強固に一体化することができ、その結果、より効果的に手全体や腕全体の力をリング部の開封に用いることができる。
【図面の簡単な説明】
【００１８】
【図１】本発明にかかる開封器具の第１の実施形態を上方から見た斜視図である。
【図２】本発明にかかる開封器具の第１の実施形態を下方から見た斜視図である。
【図３】本発明にかかる開封器具の第１の実施形態の側面図である。
【図４】第１の実施形態の開封器具に保護部材を連結した状態を示す模式図である。
【図５】本発明の開封器具の第２の実施形態を示す模式図である。
【図６】第２の実施形態の開封器具に保護部材を連結した状態を示す模式図である。
【図７】第１の実施形態の開封器具を使用してフルオープン缶の缶蓋を開封する手順の一例を示した図である。
【図８】第１の実施形態の開封器具を使用してフルオープン缶の缶蓋を開封する別の手順を示した図である。
【図９】第１の実施形態の開封器具を使用してステイオンタブ式のプルトップを開封する手順の一例を示した図である。
【発明を実施するための形態】
【００１９】
本発明の実施形態を図面に基づいて説明する。なお、以下に述べる実施形態は本発明を具体化した一例に過ぎず、本発明の技術的範囲を限定するものでない。
図１は本発明にかかる開封器具の第１の実施形態を上方から見た斜視図であり、図２は本発明にかかる開封器具の第１の実施形態を下方から見た斜視図であり、図３は本発明にかかる開封器具の第１の実施形態の側面図であり、図４は  第１の実施形態の開封器具に保護部材を連結した状態を示す模式図であり、図５は本発明の開封器具の第２の実施形態を示す模式図であり、図６は第２の実施形態の開封器具に保護部材を連結した状態を示す模式図である。
【００２０】
まず最初に、本発明の開封器具の基本的な構成について説明する。本発明にかかる開封器具は、いずれの実施形態においても板状の本体部材とベルト部材と係止部材を備えている。そして、ベルト部材は板状部材の上面部に固定されており、係止部材は板状部材の下面部に固定されている。
【００２１】
（第１の実施の形態）
次に、本発明の開封器具を構成する各構成部材を、図１〜図３に示した第１の実施形態である開封器具１ａに基づいて説明する。
【００２２】
（本体部材）
本発明の開封器具１ａに用いられる本体部材２は、図１〜図３に示すように、棒状ではなく板状のものが使用される。本体部材２を板状のものとすることによって、手全体または腕全体の力でプルトップ等を開封することができるのである。
ここで、本体部材２の大きさについては特に限定されるものではないが、手のひらまたは手の甲を載置できる大きさであることが好ましい。さらに後記するようにフルオープン缶を開封する場合においては、リング部を持ち上げ、さらにリング部を引き上げて缶蓋を開封する際に、本体部材の上端部または下端部をフルオープン缶の外縁部に押し当ててかかる接触点を支点として引き上げることから、長手方向においてかかる上端部または下端部がフルオープン缶の外縁部と当接する程度の長さとすることが好ましい。
また、本体部材２の形状については板状になっていればその他の形状については特に限定されず、平面視が長方形状、正方形状、円形状、楕円形状、瓢箪形状など各種の形状のものを採用することができる。
さらに、本体部材２には図４の（ａ）〜（ｃ）や図６の（ａ）、（ｂ）に示すように、使用者の手首や腕を保護するための保護部材３を連結することができる。
なお、本体部材２や保護部材３の材質については特に限定されるものではなく、プラスチック、金属、木材など各種の材質のものを使用することができる。
【００２３】
（ベルト部材）
本発明の開封器具１ａに用いられるベルト部材４は、図１〜図３に示すように、本体部材２の上面部５に向かって設けられているものであり、本体部材２に載置した使用者の手を本体部材２と一体化するためのものである。
なお、ベルト部材４には長さ調節機構６や着脱機構６を設けておくことが好ましい。かかる長さ調節機構６や着脱機構６を設けておくことで、使用者が異なる場合においても各使用者の手を本体部材２に締め付けることができ、手と本体部材２とを強固に一体化することができるのである。
ここで、長さ調節機構６、着脱機構６の例としては、面ファスナー、尾錠止めや徳尾錠などの各種のバックル、雄型と雌型を用いて嵌合させることによって連結する各種の連結機構、２本のベルトを用いて一方のベルトの端部にはリング部を設け、他方のベルトの端部には面ファスナーを設けることで長さ調節と着脱を同時に行う機構などが挙げられる。
なお、ベルト部材４の形状、材質については特に限定されるものではない。
【００２４】
（係止部材）
本発明の開封器具１ａに用いられる係止部材７は、後記するようにプルトップ等のリング部を引っ掛けて持ち上げたり、持ち上げたリング部をさらに引き上げたり、あるいは持ち上げたリング部を元に戻すように倒したりするためのものである。具体的には図１〜図３に示すように、本体部材２の下面部８に固定されているものであり、本体部材２に固定するための固定部９と、プルトップ等のリング部を持ち上げたり、引き上げたりする等の動作を行う係止部１０とを主要部品として構成されている。
ここで、係止部材７の形状については特に限定されるものではないが、上記の動作を行いやすくするには、係止部材７の係止部１０が、図２、図３に示すような側面視において先端部に向かうにつれて下方に傾斜している形状であったり、図５の（ａ）、（ｂ）に示す、第２の実施形態の開封器具１ｂのような側面視において略Ｌ字形状であることが好ましい。また、図２、図３、図５などに示すように、係止部１０の先端部に突出部１１を設けておけばさらにリング部を引っ掛け易くなることからより好ましい。
なお、係止部１０がリング部に挿入できる大きさであれば、その他の係止部材７の形状や大きさについては特に限定されず、各種の形態を採用することができる。
【００２５】
次に、上記のように構成された本発明の開封器具の動作（使用方法）を説明する。なお、以下に述べる動作（使用方法）は第１の実施形態である開封器具１ａを使用した場合を例にしているが、図５に示す第２の実施形態の開封器具１ｂにおいても同様である。また、以下に述べる動作（使用方法）は本発明の動作（使用方法）を具体化した一例に過ぎず、本発明の技術的範囲を限定するものでない。
図７は第１の実施形態の開封器具を使用してフルオープン缶の缶蓋を開封する手順の一例を示した図であり、図８は第１の実施形態の開封器具を使用してフルオープン缶の缶蓋を開封する別の手順を示した図であり、図９は第１の実施形態の開封器具を使用してステイオンタブ式のプルトップを開封する手順の一例を示した図である。
【００２６】
まず、図７に基づいて本発明の開封器具を使用してフルオープン缶の缶蓋を開封する際の動作（使用方法）を説明する。
【００２７】
まず、使用者は手を開封器具１ａの本体部材２に載置してベルト部材４を用いて固定する。なお、図７においては手のひらを本体部材２に載置しているが手の甲を載置してベルト部材４で固定してもよい。
次に、図７（ａ）に示すように、係止部材７の係止部１０をフルオープン１２の外側からフルオープン缶１２のプルトップ１３のリング部１４に挿入する。この際、第１の実施形態のように係止部１０の先端部に突出部１１を設けておけば、係止部１０がリング部１４と蓋部１５と間に滑り込むことから係止部１０をリング部１４に挿入し易くなる。
【００２８】
次に、図７（ｂ）に示すように、本体部材２の下端部１６をフルオープン缶１２の外縁部１７ａに押し当てて、かかる接触点を支点として本体部材２を矢印Ａの方向に持ち上げることによってリング部１４を持ち上げる。
【００２９】
次に、図７（ｃ）〜（ｅ）に示すように、本体部材２の上端部１８をフルオープン缶１２の外縁部１７ｂに押し当てて、かかる接触点を支点として本体部材２を矢印Ｂの方向に持ち上げることによってリング部１４を引き上げて缶蓋１９を開封する。
なお、この際リング部１４を引き上げただけでは缶蓋１９がフルオープン缶１２から外れない場合には、リング部１４を引き上げた状態（図７（ｄ）の状態）で本体部材２を左右にねじるように動かして缶蓋１９をフルオープン缶１２から外すようにする。
【００３０】
最後に、図７（ｆ）に示すように、係止部材７の係止部１０に引っかかっている状態（図７（ｅ）の状態）のリング部１４を、本体部材２を傾けることによって滑らせてゴミ箱２０などに廃棄する。
【００３１】
次に、図８に基づいて本発明の開封器具を使用してフルオープン缶の缶蓋を開封する際の別の動作（使用方法）を説明する。
【００３２】
まず、使用者は手を開封器具１ａの本体部材２に載置してベルト部材４を用いて固定する。なお、図８においては手のひらを本体部材２に載置しているが手の甲を載置してベルト部材４で固定してもよい。
次に、図８（ａ）に示すように、係止部材７の係止部１０をフルオープン缶１２の内側からフルオープン缶１２のプルトップ１３のリング部１４に挿入する。この際、第１の実施形態のように係止部１０の先端部に突出部１１を設けておけば、係止部１０がリング部１４と蓋部１５と間に滑り込むことから係止部１０をリング部１４に挿入し易くなる。
【００３３】
次に、図８（ｂ）に示すように、本体部材２の上端部１８をフルオープン缶１２の外縁部１７ｃに押し当てて、かかる接触点を支点として本体部材２を矢印Ｃの方向に持ち上げることによってリング部１４を持ち上げる。
【００３４】
次に、図８（ｃ）〜（ｅ）に示すように、本体部材２の下端部１６をフルオープン缶１２の外縁部１７ｄに押し当てて、かかる接触点を支点として本体部材２を矢印Ｄの方向に持ち上げることによってリング部１４を引き上げて缶蓋１９を開封する。
なお、この際リング部１４を引き上げただけでは缶蓋１９がフルオープン缶１２から外れない場合には、図７と同様にリング部１４を引き上げた状態（図８（ｄ）の状態）で本体部材２を左右にねじるように動かして缶蓋１９をフルオープン缶１２から外すようにする。
【００３５】
最後に、図８（ｆ）に示すように、係止部７材の係止部１０に引っかかっている状態（図８（ｅ）の状態）のリング部１４を、本体部材２を傾けることによって滑らせてゴミ箱２０などに廃棄する。
【００３６】
以上、図７および図８に示した一連の動作から、本発明の開封器具はレバーなどを握るという動作を行うことなくフルオープン缶のリング部を持ち上げて引き上げることができることになる。従って、指を曲げることができない障害者の方や、握力や腕力の乏しい高齢者または女性なども容易かつ安全にフルオープン缶を開封することができる。また、手を汚すことなくフルオープン缶を開封することができる。
【００３７】
最後に、図９に基づいて本発明の開封器具を使用してステイオンタブ式のプルトップを開封する際の動作（使用方法）を説明する。
【００３８】
まず、使用者は手を開封器具１ａの本体部材２に載置してベルト部材４を用いて固定する。なお、図９においては手のひらを本体部材２に載置しているが手の甲を載置してベルト部材４で固定してもよい。
次に、図９（ａ）に示すように、係止部材７の係止部１０をステイオンタブ式缶２１の外側からプルトップ１３のリング部１４と蓋部１５との隙間に差し入れる。この際、第１の実施形態のように係止部１０の先端部に突出部１１を設けておけば、係止部１０がリング部１４と蓋部１５と間に滑り込むことから係止部１０をリング部１４と蓋部１５との隙間に差し入れ易くなる。
【００３９】
次に、図９（ｂ）および（ｃ）に示すように、本体部材２の上端部１８をステイオンタブ式缶２１の外縁部１７ｅに押し当てて、かかる接触点を支点として本体部材２を矢印Ｅの方向に持ち上げることによってリング部１４を持ち上げる。
【００４０】
次に、図９（ｄ）〜（ｆ）に示すように、係止部材７の係止部１０をリング部１４に押し当てて、リング部１４を矢印Ｆの方向に倒すことによってプルトップ１３を開封する。
【００４１】
なお、プルタブ式のプルトップを開封する場合には、図９（ｂ）の動作の後に、係止部材７の係止部１０をリング部１４に挿入して、係止部１０を上方に引き上げたり、リング部１４を引き上げた状態で本体部材２を左右にねじるように動かせば、プルトップ１３を缶蓋１９から引きはがすことができ、プルトップ１３を開封することができる。
【００４２】
以上、図９に示した一連の動作から、本発明の開封器具はプルタブ式またはステイオンタブ式のプルトップにおいてもレバーなどを握るという動作を行うことなくリング部を持ち上げること等ができることになる。従って、指を曲げることができない障害者の方や、握力や腕力の乏しい高齢者または女性なども容易かつ安全にプルタブ式またはステイオンタブ式のプルトップを開封することができる。
【産業上の利用可能性】
【００４３】
本発明の開封器具は、プルタブ式またはステイオンタブ式のプルトップ、またはフルオープン缶の缶蓋の開封に用いることができる。
【符号の説明】
【００４４】
１ａ  開封器具
１ｂ  開封器具
２    本体部材
３    保護部材
４    ベルト部材
５    上面部
６    長さ調節機構／着脱機構
７    係止部材
８    下面部
９    固定部
１０  係止部
１１  突出部
１２  フルオープン缶
１３  プルトップ
１４  リング部
１５  蓋部
１６  下端部
１７ａ  外縁部
１７ｂ  外縁部
１７ｃ  外縁部
１７ｄ  外縁部
１７ｅ  外縁部
１８  上端部
１９  缶蓋
２０  ゴミ箱
２１  ステイオンタブ式缶
【要約】      （修正有）【課題】手や指の不自由な方や高齢者、あるいは爪を伸ばしている女性などが、プルタブ式またはステイオンタブ式のプルトップ、またはフルオープン缶の缶蓋を、容易かつ安全に開封することができる開封器具を提供する。【解決手段】プルタブ式またはステイオンタブ式のプルトップ、またはフルオープン缶の缶蓋を開封するための開封器具であって、手のひらまたは手の甲を載置するための板状の本体部材と、板状の本体部材の上面部に固定した、手のひらまたは手の甲を前記板状の本体部材に固定するためのベルト部材と、板状の本体部材の下面部に固定した係止部材とを備えることを特徴とする開封器具。【選択図】図３【図１】
0005124061.tif 000002
【図２】
0005124061.tif 000003
【図３】
0005124061.tif 000004
【図４】
0005124061.tif 000005
【図５】
0005124061.tif 000006
【図６】
0005124061.tif 000007
【図７】
0005124061.tif 000008
【図８】
0005124061.tif 000009
【図９】
0005124061.tif 000010